(57)【要約】      （修正有）【課題】測定点のグループ化作業を効率化させる。【解決手段】監視対象領域に配置された複数の測定点をグループ化する測定点グループ設定装置１００であって、監視対象領域の地図情報１３１と、測定点毎の位置情報を記録した測定点位置情報１３２と、それぞれの測定点を地図情報の対応する位置に選択可能な状態で配置した測定点選択画面を生成する表示制御部１２０と、測定点の選択に関する操作情報を受け付ける入力部１１１と、測定点選択画面上で選択された複数個の測定点をグループ化して、グループ構成情報として記録する判別部１１２と、を備える。【選択図】図２
2018194376.tif 000002
【特許請求の範囲】
【請求項１】
監視対象領域に配置された複数の測定点をグループ化する測定点グループ設定装置であって、
前記監視対象領域の地図情報と、
測定点毎の位置情報を記録した測定点位置情報と、
それぞれの測定点を前記地図情報の対応する位置に選択可能な状態で配置した測定点選択画面を生成する表示制御部と、
測定点の選択に関する操作情報を受け付ける入力部と、
前記測定点選択画面上で選択された複数個の測定点をグループ化して、グループ構成情報として記録する判別部と、
を備えることを特徴とする測定点グループ設定装置。
【請求項２】
前記判別部は、前記入力部が、前記測定点選択画面上で任意の領域の指定を受け付けた場合、その領域に含まれる測定点を選択状態とすることを特徴とする請求項１に記載の測定点グループ設定装置。
【請求項３】
前記判別部は、前記入力部が、前記測定点選択画面上で任意の位置の指定を受け付けた場合、その位置から所定距離内に含まれる測定点を選択状態とすることを特徴とする請求項１または２に記載の測定点グループ設定装置。
【請求項４】
位置測定機能をさらに備え、
前記判別部は、前記位置測定機能が測定した位置から所定距離内に含まれる測定点を前記測定点選択画面上で選択状態とすることを特徴とする請求項１または２に記載の測定点グループ設定装置。
【発明の詳細な説明】
【技術分野】
【０００１】
本発明は、複数の測定点をグループ化する測定点グループ設定装置に関する。
【背景技術】
【０００２】
ペーパレスレコーダ等のデータ収集装置では、測定装置等が配置された測定点から測定値を収集して記録、表示等を行なう。一般に、測定点は工場や敷地内に複数個分散されているが、データ収集装置でそれぞれの測定点からの測定値を取得することで、集中監視を行なうことができる。
【０００３】
データ収集装置を用いた測定値の監視の際に、測定点をグループ化することが従来から行なわれている。グループ化により、図６に示すようにグループ単位での記録や監視が可能となるため、例えば、敷地内の建物毎や工場のエリア毎等の位置的なまとまりで測定点をグループ化することで、記録や監視の効率を向上させることができる。
【先行技術文献】
【特許文献】
【０００４】
【特許文献１】特開２００８−２８６６０３号公報
【発明の概要】
【発明が解決しようとする課題】
【０００５】
従来、グループ化作業は、例えば、図７に示すように、「Ａ００１」等のタグ名で示された測定点のリストから、ユーザが、設定対象のグループに含めたい測定点を一件ずつ指定することで行なっていた。
【０００６】
このため、測定点の数が多いとグループ化作業が繁雑になる。また、タグ名と測定点の実際の位置との対応が直感的に把握できないため、位置的なまとまりでのグループ化作業が効率的でないという問題がある。
【０００７】
そこで、本発明は、測定点のグループ化作業を効率化させることを目的とする。
【課題を解決するための手段】
【０００８】
上記課題を解決するため、本発明の測定点グループ設定装置は、監視対象領域に配置された複数の測定点をグループ化する測定点グループ設定装置であって、前記監視対象領域の地図情報と、測定点毎の位置情報を記録した測定点位置情報と、それぞれの測定点を前記地図情報の対応する位置に選択可能な状態で配置した測定点選択画面を生成する表示制御部と、測定点の選択に関する操作情報を受け付ける入力部と、前記測定点選択画面上で選択された複数個の測定点をグループ化して、グループ構成情報として記録する判別部と、を備えることを特徴とする。
ここで、前記判別部は、前記入力部が、前記測定点選択画面上で任意の領域の指定を受け付けた場合、その領域に含まれる測定点を選択状態とすることができる。
また、前記判別部は、前記入力部が、前記測定点選択画面上で任意の位置の指定を受け付けた場合、その位置から所定距離内に含まれる測定点を選択状態としてもよい。
また、位置測定機能をさらに備え、前記判別部は、前記位置測定機能が測定した位置から所定距離内に含まれる測定点を前記測定点選択画面上で選択状態としてもよい。
【発明の効果】
【０００９】
本発明によれば、測定点のグループ化作業を効率化させることができる。
【図面の簡単な説明】
【００１０】
【図１】本実施形態に係る測定システムの構成を模式的に示す図である。
【図２】測定点グループ設定装置の構成を示すブロック図である。
【図３】測定点グループ設定装置の動作について説明するフローチャートである。
【図４】測定点選択画面における操作の一例を示す図である。
【図５】測定点選択画面における操作の別例を示す図である。
【図６】グループ単位でも測定値表示を説明する図である。
【図７】従来のグループ化作業を説明する図である。
【発明を実施するための形態】
【００１１】
本発明の実施の形態について図面を参照して説明する。図１は、本実施形態に係る測定システムの構成を模式的に示す図である。本図の例では、監視対象領域が、ＡエリアからＤエリアに区分されており、それぞれのエリアに複数の測定点（Ａｘｘｘ）が含まれているものとする。ただし、エリアは便宜的なものであり、任意とすることができる。
【００１２】
測定点は、温度、圧力等の物理量を測定する地点であり、Ａ００１のような無線通信を行なう測定装置の設置場所、Ａ０１１のような有線通信を行なう測定装置の設置場所、Ａ００１８のような熱電対の接合点等を含めることができる。
【００１３】
データ収集装置２００は、無線、有線通信を行ない、各測定点から測定値を取得する。データ収集装置２００は、例えば、ペーパレスレコーダ、データロガー等で構成することができる。
【００１４】
データ収集装置２００は、測定点グループ設定装置１００と接続している。測定点グループ設定装置１００は、測定点のグループ化作業を支援する装置である。グループ化作業で設定されたグループ構成情報はデータ収集装置２００に通知される。
【００１５】
測定点グループ設定装置１００は、例えば、データ収集装置２００用のツールをインストールしたＰＣや携帯型情報処理装置、データ収集装置２００用のツールを提供するサーバ装置等で構成することができる。また、データ収集装置２００が、測定点グループ設定装置１００としての機能を備えるようにしてもよい。
【００１６】
図２は、測定点グループ設定装置１００の構成を示すブロック図である。本図に示すように、測定点グループ設定装置１００は、制御部１１０、表示制御部１２０、記憶部１３０を備えている。また、測定点グループ設定装置１００は、液晶パネル等の表示装置１８０、マウス、キーボード等の入力装置１９０と接続している。表示装置と入力装置とを兼ねたタッチパネルを用いてもよい。
【００１７】
制御部１１０は、入力装置１９０を介して測定点の選択等のグループ化に関する操作情報を入力する入力部１１１、入力された情報の内容を判別して測定点のグループ化を行なう判別部１１２を備えている。表示制御部１２０は、表示装置１８０の表示内容を制御する。特に、それぞれの測定点を地図情報の対応する位置に選択可能な状態で配置した測定点選択画面を生成する
記憶部１３０は、地図情報１３１、測定点位置情報１３２、グループ構成情報１３３を記憶する。地図情報１３１は、監視対象領域の地図情報である。測定点位置情報１３２は、監視対象領域に含まれる測定点の位置情報である。測定点位置情報１３２は、例えば、測定点のタグ名毎に、緯度経度等の位置情報を対応付ける。グループ構成情報１３３は、ユーザによって設定されたグループと、それぞれのグループに含まれる測定点を示す情報である。測定点の測定チャネル情報等を含めるようにしてもよい。
【００１８】
次に、上記構成の測定点グループ設定装置１００の動作について図３のフローチャートを参照して説明する。まず、グループの設定に先立ち、監視対象領域の地図情報を収集して、地図情報１３１に記録するとともに（Ｓ１０１）、各測定点の位置情報を収集して、測定点位置情報１３２に記録する（Ｓ１０２）。
【００１９】
地図情報１３１は、例えば、インターネット上で一般に提供されているデータを利用することができる。地図情報１３１は、必要に応じてリアルタイムで取得するようにしてもよい。
【００２０】
測定点位置情報１３２は、例えば、測定点に配置された測定装置がＧＰＳ機能を有している場合には、測定装置と通信を行なうことにより取得することができる。また、測定装置と通信を行なう通信基地局や通信アクセスポイントから得られる位置情報を利用してもよい。
【００２１】
さらには、ユーザから手動で測定点の位置情報を受け付けてもよい。この場合、例えば、表示装置１８０に地図情報１３１を表示して、マウス操作等により、配置位置の指示を受け付けることで測定点の位置情報を特定することができる。また、測定点グループ設定装置１００に、ＧＰＳ等の位置測定機能を備えさせ、測定点グループ設定装置１００を測定点に移動させて所定の操作を受け付けることにより測定点の位置情報を取得するようにしてもよい。
【００２２】
ユーザから、グループ化設定の指示を受け付けると（Ｓ１０３：Ｙｅｓ）、グループ化設定動作を開始する。グループ化設定動作では、まず、設定対象のグループの指定をユーザから受け付ける（Ｓ１０４）。ここでは、例えば、「グループ１」が設定対象のグループとして指定されたものとする。
【００２３】
グループの指定を受け付けると、表示制御部１２０が、地図情報１３１と測定点位置情報１３２とを参照して、図４に示すような測定点選択画面を生成し、表示装置１８０に表示する。測定点選択画面は、それぞれの測定点を地図情報の対応する位置に選択可能な状態で配置した画面である。
【００２４】
本画面で、ユーザは、設定対象として指定されている「グループ１」に含めようとする測定点を選択することができる。測定点の選択／解除は、例えば、マウス等の入力装置１９０で測定点をクリックしたり、タッチパネル面をタッチすること等で行なうことができる。
【００２５】
また、本図に示すように、画面上で任意の領域を描画し、その領域に含まれる測定点すべてを選択状態とすることもできる。これにより、直感的な選択操作が可能となるとともに、複数の測定点をまとめて選択することができるため、エリア単位等で測定点をグループ化する際の手間を大幅に軽減することができる。
【００２６】
複数の測定点が選択された状態で、「ＯＫ」ボタン等の操作により、グループ化実行の指示を受け付けると（Ｓ１０６：Ｙｅｓ）、判別部１１２が、選択されている測定点を設定対象のグループに含めた情報をグループ構成情報１３３として記憶部１３０に記録する（Ｓ１０７）。
【００２７】
他のグループについてもグループ化作業を行なう場合には（Ｓ１０８：Ｙｅｓ）、設定対象のグループの指定（Ｓ１０４）以降の動作を繰り返す。
【００２８】
なお、測定点選択画面における測定点の選択は、上述の例に限られない。例えば、図５に示すように、特定の位置と、距離とを指定することにより、指定された位置を中心とした指定距離内の領域に含まれる測定点を選択対象とすることもできる。この場合、特定の位置は測定点選択画面における地図上で指定してもよいし、グループ設定装置１００の現在位置としてもよい。これにより、例えば、ユーザがグループ設定装置１００とともに監視場所を移動し、ユーザの現在位置に近い測定点を動的にグループ化して監視するような、柔軟な監視運用を行なうことができる。
【符号の説明】
【００２９】
１００…測定点グループ設定装置
１１０…制御部
１１１…入力部
１１２…判別部
１２０…表示制御部
１３０…記憶部
１３１…地図情報
１３２…測定点位置情報
１３３…グループ構成情報
１８０…表示装置
１９０…入力装置
２００…データ収集装置
【図１】
2018194376.tif 000003
【図２】
2018194376.tif 000004
【図３】
2018194376.tif 000005
【図４】
2018194376.tif 000006
【図５】
2018194376.tif 000007
【図６】
2018194376.tif 000008
【図７】
2018194376.tif 000009